(57)【特許請求の範囲】
【請求項１】
第１の受動光網システムと第２の受動光網システムとが混在するネットワークで、第１の受動光網システムを構成する第１の子局装置と第２の受動光網システムを構成する第２の子局装置とのアクセス制御を行なうアクセス制御システムにおいて、
第１の受動光網システムを採用する第１の親局装置が、
上記第１の子局装置、及び又は、上記第２の子局装置の監視制御処理を行う監視制御手段と、
当該第１の親局装置と接続している上記第１の子局装置に対応する第１の識別情報を管理する第１の子局情報管理手段と、
上記第１の子局装置との間で授受される第１の制御フレームの処理を行う第１の親局処理手段と
を備え、
上記第１の子局装置が、
上記第１の親局装置との間で授受される上記第１の制御フレームの処理を行う子局処理手段と、
上記第１の親局装置から割り当てられた、上記第１の識別情報を管理する第２の子局情報管理手段と、
１又は複数の上記第２の子局装置と接続可能であり、接続している上記各第２の子局装置との間で第２の制御フレームの処理を行うものであり、上記各第２の子局装置に対応する第２の識別情報を取得する１又は複数の第２の親局処理手段と、
上記各第２の親局処理手段に対応する第３の識別情報と、上記第２の識別情報とを対応付けて管理する第３の子局情報管理手段と
を備え、
上記子局処理手段が、上記第３の識別情報及び上記第２の識別情報を、上記第１の制御フレームの特定領域に挿入して、上記第１の親局装置に送信し、
上記第１の子局情報管理手段が、上記第１の子局装置から受信した上記第１の制御フレームに含まれる、上記第３の識別情報及び上記第２の識別情報を、対応する上記第１の子局装置の上記第１の識別情報に対応付けて管理する
ことを特徴とするアクセス制御システム。
【請求項２】
上記第１の制御フレームは、上記第１の親局装置と上記第１の子局装置との間で行われる第１の登録処理で授受され、
上記第２の制御フレームは、上記各第２の親局処理手段と上記第２の子局装置との間で行われる第２の登録処理で授受され、
上記子局処理手段は、上記第２の登録処理が完了すると、上記第３の識別情報と、上記第２の登録処理で決定された上記第２の識別情報とが挿入された上記第１の制御フレームを上記第１の親局装置へ送信する
ことを特徴とする請求項１に記載のアクセス制御システム。
【請求項３】
上記第１の親局装置は、
上記監視制御手段と接続される監視端末から、上記第２の子局装置に対する運用保守情報を取得し、
上記第１の親局処理手段が、
上記第２の識別情報に基づいて、対応する上記第１の識別情報と、対応する上記第３の識別情報とを、上記第１の子局情報管理手段から検索し、
検索した、対応する上記第１の識別情報と、対応する上記第３の識別情報とを含む宛先情報とし、上記運用保守情報を含む上記第１の制御フレームを送信する
ことを特徴とすることを特徴とする請求項１又は２に記載のアクセス制御システム。
【請求項４】
上記第１の受動光網システムがＩＴＵ−Ｔ  Ｇ．９８７．３標準規格の受動光網システムであり、上記第２の受動光網システムがＩＥＥＥ８０２．３ａｈ標準規格の受動光網システムであり、
上記各第１の子局装置の子局処理手段が、ＰＬＯＡＭ領域に、上記第３の識別情報として上記各親局処理手段の識別情報を、上記第２の識別情報として上記第２の子局装置のＬＬＩＤを、上記第１の識別情報として子局識別情報を、挿入した上記第１の制御フレームを、上記第１の親局装置に送信する
ことを特徴とする請求項１〜３のいずれかに記載のアクセス制御システム。
【請求項５】
第１の受動光網システムと第２の受動光網システムとが混在するネットワークで、第１の受動光網システムを構成する第１の子局装置と第２の受動光網システムを構成する第２の子局装置とのアクセス制御を行なうアクセス制御方法において、
第１の受動光網システムを採用する第１の親局装置は、
監視制御処理手段が、上記第１の子局装置、及び又は、上記第２の子局装置の監視制御処理を行い、
第１の親局処理手段が、上記第１の子局装置との間で授受される第１の制御フレームの処理を行い、
第１の子局情報管理手段が、当該第１の親局装置と接続している上記第１の子局装置に対応する第１の識別情報を管理し、
上記第１の子局装置は、
子局処理手段が、上記第１の親局装置との間で授受される上記第１の制御フレームの処理を行い、
第２の子局情報管理手段が、上記第１の親局装置から割り当てられた、上記第１の識別情報を管理し、
１又は複数の第２の親局処理手段がそれぞれ、１又は複数の上記第２の子局装置と接続可能であり、接続している上記各第２の子局装置との間で第２の制御フレームの処理を行い、上記各第２の子局装置に対応する第２の識別情報を取得し、
第３の子局情報管理手段が、上記各第２の親局処理手段に対応する第３の識別情報と、上記第２の識別情報とを対応付けて管理し、
上記子局処理手段が、上記第３の識別情報及び上記第２の識別情報を、上記第１の制御フレームの特定領域に挿入して、上記第１の親局装置に送信し、
上記第１の子局情報管理手段が、上記第１の子局装置から受信した上記第１の制御フレームに含まれる、上記第３の識別情報及び上記第２の識別情報を、対応する上記第１の子局装置の上記第１の識別情報に対応付けて管理する
ことを特徴とするアクセス制御方法。
【請求項６】
第１の受動光網システムと第２の受動光網システムとが混在するネットワークで、第１の受動光網システムを採用する親局装置において、
上記第１の受動光網システムを構成する第１の子局装置、及び又は、上記第２の受動光網システムを構成する第２の子局装置の監視制御処理を行う監視制御手段と、
当該親局装置と接続している上記第１の子局装置に対応する第１の識別情報を管理する第１の子局情報管理手段と、
上記第１の子局装置との間で授受される第１の制御フレームの処理を行う第１の親局処理手段と
を備え、
上記第１の子局情報管理手段が、上記第１の子局装置から受信した上記第１の制御フレームに含まれる、上記第１の子局装置の第２の親局処理手段に対応する第３の識別情報及び上記第２の子局装置に対応する第２の識別情報を、対応する上記第１の子局装置の上記第１の識別情報に対応付けて管理することを特徴とする親局装置。
【請求項７】
第１の受動光網システムと第２の受動光網システムとが混在するネットワークで、第１の受動光網システムを採用する子局装置において、
第１の受動光網システムの第１の親局装置との間で授受される第１の制御フレームの処理を行う子局処理手段と、
上記第１の親局装置から割り当てられた、上記第１の子局装置に対応する識別情報を管理する第２の子局情報管理手段と、
第２の受動光網システムを構成する１又は複数の第２の子局装置を接続可能であり、接続している上記各第２の子局装置との間で第２の制御フレームの処理を行うものであり、上記各第２の子局装置に対応する第２の識別情報を取得する１又は複数の第２の親局処理手段と、
上記各第２の親局処理手段に対応する第３の識別情報と、上記第２の識別情報とを対応付けて管理する第３の子局情報管理手段と
を備え、
上記子局処理手段が、上記第３の識別情報及び上記第２の識別情報を、上記第１の制御フレームの特定領域に挿入して、上記第１の親局装置に送信することを特徴とする子局装置。
【発明の詳細な説明】
【技術分野】
【０００１】
本発明は、アクセス制御システム、アクセス制御方法、親局装置及び子局装置に関し、例えば、ＰＯＮ（Ｐａｓｓｉｖｅ  Ｏｐｔｉｃａｌ  Ｎｅｔｗｏｒｋ）システムにおける制御方法に適用し得るものである。
【背景技術】
【０００２】
近年、ＦＴＴＨ（Ｆｉｂｅｒ  Ｔｏ  Ｔｈｅ  Ｈｏｍｅ）に使われているＰＯＮシステムは、ＩＥＥＥ（Ｔｈｅ  Ｉｎｓｔｉｔｕｔｅ  ｏｆ  Ｅ１ｅｃｔｒｉｃａｌ  ａｎｄ  Ｅｌｅｃｔｒｏｎｉｃｓ  Ｅｎｇｉｎｅｅｒｓ，Ｉｎｃ．）８０２．３ａｈ標準のＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムが多く使われている。
【０００３】
また、より高速化かつ広帯域化を図るための光アクセスシステムとして、ＩＥＥＥ８０２．３ａｖ  １０Ｇ−ＥＰＯＮ、ＩＴＵ−Ｔ  Ｇ．９８７シリーズ規格  ＸＧ−ＰＯＮが制定されており、更に現在ＩＴＵ−ＴではＧ．９８９シリーズ規格として４０Ｇ級の光アクセスシステムとしてＮＧ−ＰＯＮ２（Ｎｅｘｔ  Ｇｅｎｅｒａｔｉｏｎ−Ｐａｓｓｉｖｅ  Ｏｐｔｉｃａｌ  Ｎｅｔｗｏｒｋ２）標準が議論中である。
【０００４】
非特許文献１には、ＩＴＵ−Ｔ  Ｇ．９８７．３標準規格技術が規定されており、ＸＧ−ＰＯＮのＯＬＴとＯＮＵとの間の通信に関するフレーム構造、ＯＬＴが未登録ＯＮＵを発見する仕組みであるディスカバリー方式、ＯＬＴとＯＮＵとの間でメッセージ交換を実施するためのＰＬＯＡＭ（Ｐｈｙｓｉｃａｌ  Ｌａｙｅｒ  Ｏｐｅｒａｔｉｏｎｓ、Ａｄｍｉｎｉｓｔｒａｔｉｏｎ  ａｎｄ  Ｍａｉｎｔｅｎａｎｃｅ）の規格及び情報挿入位置が規定されている。
【０００５】
図２は、従来のＧＥ−ＰＯＮを採用した光アクセスネットワークの構成例を示す構成図であり、図３はＧＥ−ＰＯＮを構成するＧＥ−ＰＯＮ  ＯＬＴ及びＧＥ−ＰＯＮ  ＯＮＵの機能ブロック図である。現在多く使用されているＧＥ−ＰＯＮシステムは、１Ｇｂｉｔ／ｓの帯域を複数のＯＮＵ（例えば、３２ユーザ）の間で共有するものである。
【０００６】
また、図４は、従来のＸＧ−ＰＯＮシステムを採用した光アクセスネットワークの構成例を示す構成図であり、図５はＸＧ−ＰＯＮを構成するＸＧ−ＰＯＮ  ＯＬＴ及びＸＧ−ＰＯＮ  ＯＮＵの機能ブロック図である。例えば、ネットワークサービスの高速化かつ広帯域化をするために、１０Ｇｂｉｔ／ｓの帯域を複数のＯＮＵ（例えば３２ユーザや６４ユーザ）で共有するようなシステムを導入することが考えられている。
【先行技術文献】
【非特許文献】
【０００７】
【非特許文献１】ＩＴＵ−ＴＧ．９８７．３標準規格“１０−Ｇｉｇａｂｉｔ−ｃａｐａｂ１ｅ  ｐａｓｓｉｖｅ  ｏｐｔｉｃａ１  ｎｅｔｗｏｒｋｓ（ＸＧ−ＰＯＮ）：Ｔｒａｎｓｍｉｓｓｉｏｎ  ｃｏｎｖｅｒｇｅｎｃｅ（ＴＣ）ｌａｙｅｒ  ｓｐｅｃｉｆｉｃａｔｉｏｎ”
【発明の概要】
【発明が解決しようとする課題】
【０００８】
ところで、例えば、図６に例示するように、１Ｇｂｉｔ／ｓの帯域を有するＧＥ−ＰＯＮ  ＯＬＴを１０Ｇｂｉｔ／ｓの帯域を有するＸＧＰＯＮ  ＯＮＵを介して収容することで、ＸＧ−ＰＯＮとＧＥ−ＰＯＮとが共存する構成が考えられ得る。
【０００９】
このような構成において、ＸＧ−ＰＯＮ    ＯＬＴ８００は、ＩＴＵ−Ｔ  Ｇ．９８７．３標準で規定されているディスカバリー方式を用いることで、ＸＧ−ＰＯＮ  ＯＮＵ９００−１〜９００−Ｍの登録やＰＬＯＡＭを使用した情報交換が可能である。
【００１０】
しかしながら、ＸＧ−ＰＯＮ  ＯＬＴ９００は、ＧＥ−ＰＯＮ  ＯＬＴ６００や、ＧＥ−ＰＯＮ  ＯＮＵ７００−１〜７００−Ｎの装置登録やＰＬＯＡＭを使用した情報交換ができない。
【００１１】
したがって、図６のようにＧＥ−ＰＯＮ用の運用保守用の監視制御網やオペレーションシステム（ＯｐＳ）１５と、ＸＧ−ＰＯＮ用の運用保守用の監視制御網やオペレーションシステム（ＯｐＳ）１０とを個別に設置する必要があるという問題が生じ得る。それぞれ別個のオペレーションシステム（ＯｐＳ）を備えることで、運用保守が複雑になり、又運用保守に係る費用負担も増大することに繋がる。
【００１２】
そのため、例えばＧＥ−ＰＯＮ及びＸＧ−ＰＯＮのようにそれぞれ異なるＰＯＮシステムが共存するアクセスネットワークの終端装置の保守運用の監視制御を統合的に行うことができるアクセス制御システム、アクセス制御方法、親局装置及び子局装置が求められている。
【課題を解決するための手段】
【００１３】
かかる課題を解決するために、第１の本発明に係るアクセス制御システムは、第１の受動光網システムと第２の受動光網システムとが混在するネットワークで、第１の受動光網システムを構成する第１の子局装置と第２の受動光網システムを構成する第２の子局装置とのアクセス制御を行なうアクセス制御システムにおいて、（１）第１の受動光網システムを採用する第１の親局装置が、（Ａ−１）第１の子局装置、及び又は、第２の子局装置の監視制御処理を行う監視制御手段と、（Ａ−２）当該第１の親局装置と接続している第１の子局装置に対応する第１の識別情報を管理する第１の子局情報管理手段と、（Ａ−３）第１の子局装置との間で授受される第１の制御フレームの処理を行う第１の親局処理手段とを備え、（Ｂ）第１の子局装置が、（Ｂ−１）第１の親局装置との間で授受される第１の制御フレームの処理を行う子局処理手段と、（Ｂ−２）第１の親局装置から割り当てられた、第１の識別情報を管理する第２の子局情報管理手段と、（Ｂ−３）１又は複数の第２の子局装置と接続可能であり、接続している各第２の子局装置との間で第２の制御フレームの処理を行うものであり、各第２の子局装置に対応する第２の識別情報を取得する１又は複数の第２の親局処理手段と、（Ｂ−４）各第２の親局処理手段に対応する第３の識別情報と、第２の識別情報とを対応付けて管理する第３の子局情報管理手段とを備え、子局処理手段が、第３の識別情報及び第２の識別情報を、第１の制御フレームの特定領域に挿入して、第１の親局装置に送信し、第１の子局情報管理手段が、第１の子局装置から受信した第１の制御フレームに含まれる、第３の識別情報及び第２の識別情報を、対応する第１の子局装置の第１の識別情報に対応付けて管理することを特徴とする。
【００１４】
第２の本発明に係るアクセス制御方法は、第１の受動光網システムと第２の受動光網システムとが混在するネットワークで、第１の受動光網システムを構成する第１の子局装置と第２の受動光網システムを構成する第２の子局装置とのアクセス制御を行なうアクセス制御方法において、（１）第１の受動光網システムを採用する第１の親局装置は、（Ａ−１）監視制御処理手段が、第１の子局装置、及び又は、第２の子局装置の監視制御処理を行い、（Ａ−２）第１の親局処理手段が、第１の子局装置との間で授受される第１の制御フレームの処理を行い、（Ａ−３）第１の子局情報管理手段が、当該第１の親局装置と接続している第１の子局装置に対応する第１の識別情報を管理し、（Ｂ）第１の子局装置は、（Ｂ−１）子局処理手段が、第１の親局装置との間で授受される第１の制御フレームの処理を行い、（Ｂ−２）第２の子局情報管理手段が、第１の親局装置から割り当てられた、第１の識別情報を管理し、（Ｂ−３）１又は複数の第２の親局処理手段がそれぞれ、１又は複数の第２の子局装置と接続可能であり、接続している各第２の子局装置との間で第２の制御フレームの処理を行い、各第２の子局装置に対応する第２の識別情報を取得し、（Ｂ−４）第３の子局情報管理手段が、各第２の親局処理手段に対応する第３の識別情報と、第２の識別情報とを対応付けて管理し、子局処理手段が、第３の識別情報及び第２の識別情報を、第１の制御フレームの特定領域に挿入して、第１の親局装置に送信し、第１の子局情報管理手段が、第１の子局装置から受信した第１の制御フレームに含まれる、第３の識別情報及び第２の識別情報を、対応する第１の子局装置の第１の識別情報に対応付けて管理することを特徴とする。
【００１５】
第３の本発明に係る親局装置は、第１の受動光網システムと第２の受動光網システムとが混在するネットワークで、第１の受動光網システムを採用する親局装置において、（１）第１の受動光網システムを構成する第１の子局装置、及び又は、第２の受動光網システムを構成する第２の子局装置の監視制御処理を行う監視制御手段と、（２）当該親局装置と接続している第１の子局装置に対応する第１の識別情報を管理する第１の子局情報管理手段と、（３）第１の子局装置との間で授受される第１の制御フレームの処理を行う第１の親局処理手段とを備え、第１の子局情報管理手段が、第１の子局装置から受信した第１の制御フレームに含まれる、第１の子局装置の第２の親局処理手段に対応する第３の識別情報及び第２の子局装置に対応する第２の識別情報を、対応する第１の子局装置の第１の識別情報に対応付けて管理することを特徴とする。
【００１６】
第４の本発明に係る子局装置は、第１の受動光網システムと第２の受動光網システムとが混在するネットワークで、第１の受動光網システムを採用する子局装置において、（１）第１の受動光網システムの第１の親局装置との間で授受される第１の制御フレームの処理を行う子局処理手段と、（２）第１の親局装置から割り当てられた、第１の子局装置に対応する識別情報を管理する第２の子局情報管理手段と、（３）第２の受動光網システムを構成する１又は複数の第２の子局装置を接続可能であり、接続している各第２の子局装置との間で第２の制御フレームの処理を行うものであり、各第２の子局装置に対応する第２の識別情報を取得する１又は複数の第２の親局処理手段と、（４）各第２の親局処理手段に対応する第３の識別情報と、第２の識別情報とを対応付けて管理する第３の子局情報管理手段とを備え、子局処理手段が、第３の識別情報及び第２の識別情報を、第１の制御フレームの特定領域に挿入して、第１の親局装置に送信することを特徴とする。
【発明の効果】
【００１７】
本発明によれば、それぞれ異なるＰＯＮシステムが共存するアクセスネットワークの終端装置の保守運用の監視制御を統合的に行うことができる。
【図面の簡単な説明】
【００１８】
【図１】実施形態に係るＸＧ−ＰＯＮ  ＯＬＴの機能的な構成を示すブロック図である。
【図２】従来のＧＥ−ＰＯＮを採用した光アクセスネットワークの構成例を示す構成図である。
【図３】ＧＥ−ＰＯＮを構成するＧＥ−ＰＯＮ  ＯＬＴ及びＧＥ−ＰＯＮ  ＯＮＵの機能ブロック図である。
【図４】従来のＸＧ−ＰＯＮシステムを採用した光アクセスネットワークの構成例を示す構成図である。
【図５】従来のＸＧ−ＰＯＮを構成するＸＧ−ＰＯＮ  ＯＬＴ及びＸＧ−ＰＯＮ  ＯＮＵの機能ブロック図である。
【図６】従来のＧＥ−ＰＯＮとＸＧ−ＰＯＮとが共存する場合のオペレーションシステムによる監視の仕方を説明する説明図である。
【図７】実施形態に係るＸＧ−ＰＯＮ  ＯＮＵの機能的な構成を示すブロック図である。
【図８】実施形態に係る光アクセスネットワークの全体的な構成を示す構成図である。
【図９】ＩＴＵ−Ｔ  Ｇ．９８７．３標準規格化されている下りフレームの構成を示す構成図である。
【図１０】ＩＴＵ−Ｔ  Ｇ．９８７．３標準規格化されている上りフレームの構成を示す構成図である。
【図１１】実施形態に係る光アクセスネットワーク１における処理動作を示すフローチャートである。
【発明を実施するための形態】
【００１９】
（Ａ）主たる実施形態
以下、本発明に係るアクセス制御システム、アクセス制御方法、親局装置及び子局装置の主たる実施形態を、図面を参照しながら詳細に説明する。
【００２０】
この実施形態では、ＸＧ−ＰＯＮとＧＥ−ＰＯＮとが混在する光アクセスネットワークに、本発明を適用する場合を例示する。
【００２１】
（Ａ−１）実施形態の構成
（Ａ−１−１）光アクセスネットワークの構成
図８は、実施形態に係る光アクセスネットワークの全体的な構成を示す構成図である。
【００２２】
図８において、実施形態に係る光アクセスネットワーク１は、ＸＧ−ＰＯＮとＧＥ−ＰＯＮとが混在（共存）したものである。図８の例では、概ね通信事業者ネットワークとしてＸＧ−ＰＯＮシステムを適用し、加入者側ネットワークとしてＧＥ−ＰＯＮシステムを適用する場合を例示している。
【００２３】
通信事業者ネットワークとして利用されるＸＧ−ＰＯＮは、光スプリッタ５０−１を介して光ケーブル接続されたＸＧ−ＰＯＮ  ＯＬＴ１００と、複数のＸＧ−ＰＯＮ  ＯＮＵ２００−１〜２００−Ｍ（Ｍは整数）と、ＸＧ−ＰＯＮ  オペレーションシステム（ＯｐＳ）１０とを有する。以下では、全てのＸＧ−ＰＯＮ  ＯＮＵに共通する機能を説明する際には、ＸＧ−ＰＯＮ  ＯＮＵ２００と表現して説明する。
【００２４】
ＸＧ−ＰＯＮ  ＯＬＴ１００と、ＸＧ−ＰＯＮ  ＯＮＵ２００との間の通信方式は、ＩＴＵ−Ｔ  Ｇ．９８７シリーズで規格化されている技術や、今後のＩＴＵ−Ｔ  Ｇ．９８７シリーズの拡張技術等を適用することができる。
【００２５】
ＸＧ−ＰＯＮ  ＯＬＴ１００からＸＧ−ＰＯＮ  ＯＮＵ２００への通信（下り通信）と、ＸＧ−ＰＯＮ  ＯＮＵ２００からＸＧ−ＰＯＮ  ＯＬＴ１００への通信（上り通信）には、それぞれ異なる波長を用いたＷＤＭ（Wavelength  Division  Multiplexing）方式を利用している。また、１本の光ファイバを複数のＸＧ−ＰＯＮ  ＯＮＵ２００で共用しているため、ＸＧ−ＰＯＮ  ＯＮＵ２００からＸＧ−ＰＯＮ  ＯＬＴ１００への上り通信は、例えばＴＤＭＡ（Time  Division  Multiple  Access）方式を用いて、上り通信信号の衝突を回避している。
【００２６】
光スプリッタ５０−１は、ＸＧ−ＰＯＮ  ＯＬＴ１００から送信される下り信号をＸＧ−ＰＯＮ  ＯＮＵ２００に分配したり、ＸＧ−ＰＯＮ  ＯＮＵ２００から送信される上り信号を多重してＸＧ−ＰＯＮ  ＯＬＴ１００に与えたりするものである。光スプリッタ５０−１は、波長分配多重器の一例である。
【００２７】
ＸＧ−ＰＯＮ  ＯＬＴ１００は、ＸＧ−ＰＯＮを採用した、局側に網けられた光信号終端装置（Ｏｐｔｉｃａｌ  Ｌｉｎｅ  Ｔｅｒｍｉｎａｌ）であり、光ファイバを通じて光スプリッタ５０−１と接続すると共に、例えばインターネット等の上位網３０と接続するものである。ＸＧ−ＰＯＮ  ＯＴＬ１００は、各ＸＧ−ＰＯＮ  ＯＮＵ２００のＴＤＭＡによるアクセス制御を行うために、ポイント・ツゥー・マルチポイント通信の制御を行なう。つまり、ＸＧ−ＰＯＮ  ＯＬＴ１００は、各ＸＧ−ＰＯＮ  ＯＮＵ２００との間で、制御フレームを授受することにより、ポイント・ツゥー・マルチポイント通信の制御を行なう。
【００２８】
ここで、ＸＧ−ＰＯＮ  ＯＬＴ１００は、各ＸＧ−ＰＯＮ  ＯＮＵ２００との間の通信に先立ち、未登録のＸＧ−ＰＯＮ  ＯＮＵを発見するディスカバリープロセスや、未登録のＸＧ−ＰＯＮ  ＯＮＵの識別情報（ＯＮＵ−ＩＤ）の登録や、各ＸＧ−ＰＯＮ  ＯＮＵ２００に収容されているＧＥ−ＰＯＮ  ＯＮＵ７００（７００−１〜７００−Ｎ）の識別情報（ＬＬＩＤ：Ｌｏｇｉｃａｌ  Ｌｉｎｋ  ＩＤ）の登録、通信時間（送信タイミング及び送信時間）や帯域割当等を行なう。これらの処理は、ＩＴＵ−Ｔ  Ｇ．９８７．３標準規格化技術を適用することができる。
【００２９】
各ＸＧ−ＰＯＮ  ＯＮＵ２００は、加入者側の光回線終端装置（Ｏｐｔｉｃａｌ  Ｎｅｔｗｏｒｋ  Ｕｎｉｔ）であり、光ファイバを通じて光スプリッタ５０−１と接続すると共に、ＵＮＩ（Ｕｓｅｒ  Ｎｅｔｗｏｒｋ  Ｉｎｔｅｒｆａｃｅ）で光スプリッタ５０−２と接続を介してＧＥ−ＰＯＮ  ＯＮＵ７００と接続するものである。
【００３０】
各ＸＧ−ＰＯＮ  ＯＮＵ２００は、ＸＧ−ＰＯＮ  ＯＬＴ１００との間のディスカバリープロセスによりＸＧ−ＰＯＮ  ＯＬＴ１００との間のリンクを確立し、ＸＧ−ＰＯＮ  ＯＬＴ１００により割り当てられた帯域及び通信時間で通信を行う。
【００３１】
ここで、各ＸＧ−ＰＯＮ  ＯＮＵ２００は、光スプリッタ５０−２を介して収容しているＧＥ−ＰＯＮ  ＯＮＵ７００との間でディスカバリープロセスを行い、リンクが確立したＧＥ−ＰＯＮ  ＯＮＵ７００から識別情報（ＬＬＩＤ）を取得する。
【００３２】
そして、各ＸＧ−ＰＯＮ  ＯＮＵ２００は、ＧＥ−ＰＯＮ  ＯＮＵ７００から識別情報（ＬＬＩＤ）及び自身の識別情報（ＯＮＵ−ＩＤ）をＰＬＯＡＭ領域に挿入したフレームを、ＸＧ−ＰＯＮ  ＯＬＴ１００に送信するようにする。これにより、各ＸＧ−ＰＯＮ  ＯＮＵ２００に収容されているＧＥ−ＰＯＮ  ＯＮＵ７００から識別情報（ＬＬＩＤ）を、ＸＧ−ＰＯＮ  ＯＬＴ１００に通知することができる。
【００３３】
光スプリッタ５０−２は、ＸＧ−ＰＯＮ  ＯＮＵ２００から送信される下り信号をＧＥ−ＰＯＮ  ＯＮＵ７００に分配したり、ＧＥ−ＰＯＮ  ＯＮＵ７００から送信される上り信号を多重してＸＧ−ＰＯＮ  ＯＮＵ２００に与えたりするものである。光スプリッタ５０−２は、波長分配多重器の一例である。
【００３４】
ＧＥ−ＰＯＮ  ＯＮＵ７００は、ＧＥ−ＰＯＮを採用した、加入者側の光信号終端装置である。ＧＥ−ＰＯＮ  ＯＮＵ７００は、ＸＧ−ＰＯＮ  ＯＮＵ２００との間のディスカバリープロセスによりリンクを確立して、自身の識別情報（ＬＬＩＤ）を通知する。なお、ディスカバリープロセスは、ＩＥＥＥ８０２．３ａｈ等の規格化技術を適用できる。
【００３５】
端末４０は、加入者端末であり、例えば、パーソナルコンピュータや、電話端末等を適用できる。
【００３６】
（Ａ−１−２）ＸＧ−ＰＯＮ  ＯＬＴの詳細な構成
図１は、この実施形態に係るＸＧ−ＰＯＮ  ＯＬＴ１００の機能的な構成を示すブロック図である。
【００３７】
ＸＧ−ＰＯＮ  ＯＬＴ１００と、複数のＸＧ−ＰＯＮ  ＯＮＵ２００との間のアクセス制御は、ＩＴＵ−Ｔ  Ｇ．９８７．３標準規格技術を適用することができる。
【００３８】
なお、ＸＧ−ＰＯＮ  ＯＬＴ１００のハードウェアの詳細な構成は、図示しないが、既存のＯＬＴの構成と同様に、例えば、ＣＰＵ、ＲＯＭ、ＲＡＭ、入出力インタフェース等を有する制御ボード（あるいはＬＳＩ等の専用のハードウェア）や、インターネット等の上位網３０と信号の授受を行うインタフェース部、光信号インタフェース等を有するネットワークインタフェースボード等を有して構成される。
【００３９】
図１に示すＸＧ−ＰＯＮ  ＯＬＴ１００の機能ブロックは、主として、ＣＰＵ等を有する制御ボードにより実行されるものであり、ＣＰＵがＲＯＭに格納された処理プログラムを実行することに実現されるものである。また、それぞれの処理プログラムが、ＸＧ−ＰＯＮ  ＯＬＴ１００にインストールされることにより各種機能が実現されるものであってもよく、その場合でも、コンピュータを機能させる各処理プログラムは、図１に示す機能ブロックとして示すことができる。
【００４０】
図１において、この実施形態に係るＸＧ−ＰＯＮ  ＯＬＴ１００は、ＯＬＴ上りフレーム処理部１１０、ＯＬＴ下りフレーム処理部１２０、１０Ｇ  ＳＮＩＭＡＣ処理部１３０、ＰＯＮ光送受信部１４０、装置内監視制御部１５０を有する。
【００４１】
ＸＧ−ＰＯＮ  ＯＬＴ１００は、光スプリッタ５０−１を介して、複数（Ｍ個：Ｍは正の整数）のＸＧ−ＰＯＮ  ＯＮＵ２００と光ケーブルで接続されており、複数のＸＧ−ＰＯＮ  ＯＮＵ２００との間で授受される光信号を終端するものである。また、ＸＧ−ＰＯＮ  ＯＬＴ１００は、インターネット等の上位網３０と接続しており、上位網３０との間で信号の授受を行う。さらに、ＸＧ−ＰＯＮ  ＯＬＴ１００は、監視制御網２０を介して、運用や保守を制御するオペレーションシステム（ＯｐＳ）１０と接続している。
【００４２】
ＰＯＮ光送受信部１４０は、ＯＬＴ下りフレーム処理部１２０から送信信号（電気信号）を光信号に変換して光ケーブルを介して光スプリッタ５０−１に向けて光信号を送信したり、又は光スプリッタ５０−１からの光信号を受信信号（電気信号）に変換して、ＯＬＴ上りフレーム処理部１１０に与えたりするものである。
【００４３】
ＯＬＴ上りフレーム処理部１１０は、ＰＯＮ光送受信部１４０からの上りフレームの解析処理を行ない、上りフレームに含まれるデータ信号を１０Ｇ  ＳＮＩＭＡＣ処理部１３０に与えるものである。ＯＬＴ上りフレーム処理部１１０は、基本的には、ＩＴＵ−Ｔ  Ｇ．９８７．３標準規格技術を適用することができる。ＯＬＴ上りフレーム処理部１１０は、既存技術と同様に、ＰＨＹフレーム検出部１１１、ＸＧＴＣフレーム検出部１１２、ＸＧＥＭフレーム検出部１１３を有する。
【００４４】
ＰＨＹフレーム検出部１１１は、ＰＯＮ光送受信部１４０からの受信信号からＰＨＹフレームを検出し、ＰＨＹフレームをＸＧＴＣフレーム検出部１１２に与える。
【００４５】
ＸＧＴＣフレーム検出部１１２は、ＰＨＹフレーム検出部１１１から取得したＰＨＹフレームからＸＧＴＣフレームを抽出して、ＸＧＴＣフレームを、装置内監視制御部１５０及びＸＧＥＭフレーム検出部１１３に与える。
【００４６】
ＸＧＥＭフレーム検出部１１３は、ＸＧＴＣフレーム検出部１１２から取得したＸＧＴＣペイロードからＸＧＥＭフレームを抽出して、１０Ｇ  ＳＮＩＭＡＣ処理部１３０に与えるものである。
【００４７】
ＯＬＴ下りフレーム処理部１２０は、１０Ｇ  ＳＮＩＭＡＣ処理部１３０からデータ信号を受け取り、このデータ信号を含む下りフレームを生成してＰＯＮ送受信部１４０に与えるものである。ＯＬＴ下りフレーム処理部１２０も、基本的には、ＩＴＵ−Ｔ  Ｇ．９８７．３標準規格技術を適用することができ、既存技術と同様に、ＸＧＥＭフレーム生成部１２１、ＸＧＴＣフレーム生成部１２２、ＰＨＹフレーム生成部１２３を有する。
【００４８】
ＸＧＥＭフレーム生成部１２１は、１０Ｇ  ＳＮＩＭＡＣ処理部１３０から、上位層３０から受信したデータ信号を含むＸＧＥＭフレームを生成して、ＸＧＴＣフレーム生成部１２２に与える。
【００４９】
ＸＧＴＣフレーム生成部１２２は、ＸＧＥＭフレーム生成部１２１から取得したＸＧＴＣフレームを含むＸＧＴＣペイロードを生成し、又装置内監視制御部１５０から取得したＸＧＴＣヘッダをＸＧＴＣペイロードに付与してＸＧＴＣフレームを生成して、ＰＨＹフレーム生成部１２３に与えるものである。
【００５０】
ＰＨＹフレーム生成部１２３は、ＸＧＴＣフレーム生成部１２２から取得したＸＧＴＣフレームにＰＨＹヘッダを付与してＰＨＹフレームを生成してＰＯＮ光送受信部１４０に与えるものである。
【００５１】
１０Ｇ  ＳＮＩＭＡＣ処理部１３０は、ＯＬＴ上りフレーム処理部１１０からのデータ信号を上位網３０の通信プトロコルに変換して、上位網３０に送信したり、又は上位網３０からの信号をＯＬＴ下りフレーム処理部１２０に与えたりするものである。
【００５２】
装置内監視制御部１５０は、当該ＸＧ−ＰＯＮ  ＯＬＴ１００の配下に位置しているＸＧ−ＰＯＮ  ＯＮＵ２００を監視し、各ＸＧ−ＰＯＮ  ＯＮＵ２００の識別情報（ＯＮＵ−ＩＤ）と、各ＸＧ−ＰＯＮ  ＯＮＵ２００が収容しているＧＥ−ＰＯＮ  ＯＮＵ７００の識別情報（ＬＬＩＤ）との管理や、各ＸＧ−ＰＯＮ  ＯＮＵ２００に対する送信タイミングや帯域割当制御等を行なうものである。
【００５３】
また、装置内監視制御部１５０は、監視制御部１５１、ＯＮＵ管理部１５２、ＸＧＴＣヘッダ／ＰＬＯＡＭ生成部１５３、ＸＧＴＣヘッダ／ＰＬＯＡＭ検出部１５４を有する。
【００５４】
ＸＧＴＣヘッダ／ＰＬＯＡＭ検出部１５４は、ＸＧＴＣフレーム検出部１１２から取得したＸＧＴＣフレームからＸＧＴＣヘッダを抽出する。このとき、ＸＧＴＣヘッダ／ＰＬＯＡＭ検出部１５４は、抽出したＸＧＴＣヘッダに含まれているＰＬＯＡＭ領域の情報を抽出して、監視制御部１５１及びＯＮＵ管理部１５２に通知する。
【００５５】
ＯＮＵ管理部１５２は、ＸＧＴＣヘッダ／ＰＬＯＡＭ検出部１５４からのＰＯＡＭ領域に含まれている情報を管理するものである。ＰＬＯＡＭ領域には、ＸＧ−ＰＯＮ  ＯＮＵ２００が収容しているＧＥ−ＰＯＮ  ＯＮＵ７００の識別情報（ＬＬＩＤ）が含まれている。
【００５６】
ＯＮＵ管理部１５２は、各ＸＧ−ＰＯＮ  ＯＮＵ２００の識別情報（ＯＮＵ−ＩＤ）と、それぞれ取得したＧＥ−ＰＯＮ  ＯＮＵ７００の識別情報（ＬＬＩＤ）とを対応付けて管理するようにする。
【００５７】
ＸＧＴＣヘッダ／ＰＬＯＡＭ生成部１５３は、監視制御部１５１の制御を受けて、ＯＮＵ管理部１５２に保持されている、ＸＧ−ＰＯＮ  ＯＮＵ２００の識別情報（ＯＮＵ−ＩＤ）と、ＧＥ−ＰＯＮ  ＯＮＵ７００の識別情報（ＬＬＩＤ）との対応情報に基づいてＸＧＴＣヘッダを生成して、ＸＧＴＣフレーム生成部１２２に与える。
【００５８】
監視制御部１５１は、監視制御網２０を介してＸＧ−ＰＯＮ  ＯｐＳ１０と接続しており、ＸＧ−ＰＯＮ  ＯＮＵ２００との間のアクセス制御を行なうものである。監視制御部１５１は、ＸＧ−ＰＯＮ  ＯＮＵ２００や、ＸＧ−ＰＯＮ  ＯＮＵ２００の配下のＧＥ−ＰＯＮ  ＯＮＵに対する運用保守情報をＯｐＳ１０から取得すると、その運用保守情報をＸＧＴＣヘッダ／ＰＬＯＡＭ生成部１５３に与える。
【００５９】
（Ａ−１−３）ＸＧ−ＰＯＮ  ＯＮＵの構成
図７は、実施形態に係るＸＧ−ＰＯＮ  ＯＮＵ２００の機能的な構成を示すブロック図である。
【００６０】
なお、ＸＧ−ＰＯＮ  ＯＮＵ２００のハードウェアの詳細な構成は、図示しないが、既存のＯＮＵの構成と同様に、例えば、ＣＰＵ、ＲＯＭ、ＲＡＭ、入出力インタフェース等を有する制御ボード（あるいはＬＳＩ等の専用のハードウェア）や、光信号インタフェース等を有するネットワークインタフェースボード等を有して構成される。
【００６１】
図７に示すＸＧ−ＰＯＮ  ＯＮＵ２００の機能ブロックとは、主として、ＣＰＵ等を有する制御ボードにより実行されるものであり、ＣＰＵがＲＯＭに格納された処理プログラムを実行することに実現されるものである。また、それぞれの処理プログラムが、ＸＧ−ＰＯＮ  ＯＮＵ２００にインストールされることにより各種機能が実現されるものであってもよく、その場合でも、コンピュータを機能させる各処理プログラムは、図７に示す機能ブロックとして示すことができる。
【００６２】
図７において、この実施形態に係るＸＧ−ＰＯＮ  ＯＮＵ２００は、大別して、ＸＧ−ＰＯＮ  ＯＮＵ機能部２１０、ＧＥ−ＰＯＮ  ＯＬＴ機能部２５０、上りフォーマット変換回路３１０、下りフォーマット変換回路３２０、装置内監視制御部３３０を有する。
【００６３】
なお、ＧＥ−ＰＯＮ  ＯＬＴ機能部２５０が、１個の場合を例示しているが、複数個のＧＥ−ＰＯＮ  ＯＬＴ機能部２５０を備えるようにしても良い。その場合、それぞれのＧＥ−ＰＯＮ  ＯＬＴ機能部２５０を識別するために、ＧＥ−ＰＯＮ  ＯＮＵ番号を付与することで識別することができる。
【００６４】
ＧＥ−ＰＯＮ  ＯＬＴ機能部２５０は、ＧＥ−ＰＯＮのＯＬＴとして機能する部分であり、ＰＯＮ光送受信部２９０、ＳｅｒＤｅｓ（Ｓｅｒｉａｌｉｚｅｒ／Ｄｅｓｅｒｉａｌｉｚｅｒ）部２８０、ＧＥ−ＰＯＮ  ＯＬＴ上りフレーム処理部２６０、ＧＥ−ＰＯＮ  ＯＬＴ下りフレーム処理部２７０を有する。
【００６５】
ＸＧ−ＰＯＮ  ＯＮＵ機能部２１０は、ＸＧ−ＰＯＮのＯＮＵとして機能する部分であり、ＰＯＮ光送受信部２２０、ＸＧ−ＰＯＮ  ＯＮＵ上りフレーム処理部２３０、ＸＧ−ＰＯＮ  ＯＮＵ下りフレーム処理部２４０を有する。
【００６６】
すなわち、この実施形態に係るＸＧ−ＰＯＮ  ＯＮＵ２００は、ＸＧ−ＰＯＮ  ＯＮＵとしての機能と、ＧＥ−ＰＯＮ  ＯＬＴとしての機能とを兼ね備える。ＸＧ−ＰＯＮ  ＯＮＵ２００は、ＧＥ−ＰＯＮのＩＥＥＥ８０２．３ａ標準規格技術を用いて、収容しているＧＥ−ＰＯＮ  ＯＮＵ７００のＬＬＩＤを取得して管理すると共に、ＸＧ−ＰＯＮのＩＴＵ−Ｔ  Ｇ．９８７．３標準規格技術を用いて、自身のＯＮＵ−ＩＤと各ＬＬＩＤとを含むフレームをＸＧ−ＰＯＮ  ＯＬＴ１００に通知する。
【００６７】
ＰＯＮ光送受信部２２０は、ＸＧ−ＰＯＮ  ＯＮＵ下りフレーム処理部２４０に接続され、下りフォーマット変換回路３２０に接続され、ＧＥ−ＰＯＮ  ＯＬＴ下りフレーム処理部２７０に接続され、ＳｅｒＤｅｓ部を介してＰＯＮ光送受信部２９０に接続される。
【００６８】
また、ＰＯＮ光送受信部２９０は、ＳｅｒＤｅｓ部２８０を介してＧＥ−ＰＯＮ  ＯＬＴ上りフレーム処理部２５０に接続され、上りフォーマット変換回路３１０に接続され、ＸＧ−ＰＯＮ  ＯＮＵ上りフレーム処理部２１０に接続され、ＰＯＮ光送受信部２２０を介して光スプリッタ５０−１に接続される。
【００６９】
ＰＯＮ光送受信部２２０は、光ケーブルで光スプリッタ５０−１と接続しており、光スプリッタから受信した光信号を電気信号に変換して、ＸＧ−ＰＯＮ  ＯＮＵ下りフレーム処理部２４０に与える。
【００７０】
ＸＧ−ＰＯＮ  ＯＮＵ下りフレーム処理部２４０は、受信信号からＸＧＴＣフレームを抽出して、そのＸＧＴＣフレームを装置内監視制御部３３０に与えたり、又ＸＧＥＭフレームを抽出して下りフォーマット変換回路３２０に与えたりする。ＸＧ−ＰＯＮ  ＯＮＵ下りフレーム処理部２４０は、ＰＨＹフレーム検出部２４１、ＸＧＴＣフレーム検出部２４２、ＸＧＥＭフレーム検出部２４３を有する。
【００７１】
下りフォーマット変換回路３２０は、ＸＧ−ＰＯＮフレームをＧＥ−ＰＯＮフレームのフォーマットに変換して、変換後のフレームをＧＥ−ＰＯＮ  ＯＬＴ下りフレーム処理部２７０に与える。
【００７２】
ＧＥ−ＰＯＮ  ＯＬＴ下りフレーム処理部２７０は、下りフォーマット変換回路３２０から取得したフレームに、装置監視制御部３３０からのデータを付与して送信信号を生成して、ＳｅｒＤｅｓ部２８０に与えるものである。
【００７３】
ＧＥ−ＰＯＮ  ＯＬＴ下りフレーム処理部２７０は、ＯＡＭ生成部２７１、ＭＰＣＰ生成部２７２、ＰＯＮヘッダ生成部２７３、ＰＣＳ生成部２７４を有する。
【００７４】
ＯＡＭ生成部２７１は、下りフォーマット変換回路３２０によりフォーマット変換されたデータに、装置内監視制御部３３０から取得したＯＡＭヘッダを付与してＯＡＭフレームを生成するものである。また、ＯＡＭ生成部２７１は、生成したＯＡＭフレームをＭＰＣＰ生成部２７２に与える。
【００７５】
ここで、ＯＡＭヘッダは、送信元情報及び宛先情報等を含むものである。送信元情報は、ＧＥ−ＰＯＮ  ＯＬＴとして機能するときのアドレス情報となり、宛先情報は、収容しているＧＥ−ＰＯＮ  ＯＮＵ７００のアドレス情報となる。つまり、装置内監視制御部３３０では、後述するように、ＧＥ−ＰＯＮ  ＯＬＴとして機能するときのアドレス情報を保持しており、そのアドレス情報を送信元情報としている。
【００７６】
ＭＰＣＰ生成部２７２は、ＯＡＭ生成部２７１からのＯＡＭフレームを含むＭＰＣＰフレームを生成するものである。
【００７７】
ＰＯＮヘッダ生成部２７３は、ＭＰＣＰ生成部２７２により生成されたＭＰＣＰフレームに、装置内監視制御部３３から取得したＬＬＩＤを含む情報を付与してＰＯＮヘッダを生成し、ＰＯＮヘッダをＰＣＳ生成部２７４に与える。ここで、ＬＬＩＤは、ＸＧ−ＰＯＮ  ＯＮＵ２００が収容している各ＧＥ−ＰＯＮ  ＯＮＵ７００のＬＬＩＤである。
【００７８】
ＰＣＳ生成部２７４は、ＰＯＮヘッダ生成部２７３からのＰＯＮヘッダをフレームに付与してＰＣＳフレームを生成してＳｅｒＤｅｓ部２８０に与える。
【００７９】
ＳｅｒＤｅｓ部２８０は、入力されたシリアル、パラレル変換を行うものである。
【００８０】
ＰＯＮ光送受信部２９０は、光ケーブルで光スプリッタ５０−２を介して、ＧＥ−ＰＯＮ  ＯＮＵ７００と接続しており、光スプリッタ５０−２から受信した光信号を電気信号に変換してＳｅｒＤｅｓ部２８０に与えたり、又はＳｅｒＤｅｓ部２８０からの信号を光信号に変換して送信したりするものである。
【００８１】
ＧＥ−ＰＯＮ  ＯＬＴ上りフレーム処理部２６０は、ＳｅｒＤｅｓ部２８０から取得した受信信号（ＩＥＥＥ  ８０２．３ａｈ標準規格のフレームフォーマット）を解析して、ＯＡＭフレームを上りフォーマット変換回路３１０に与えるものである。
【００８２】
ＧＥ−ＰＯＮ  ＯＬＴ上りフレーム処理部２６０は、既存のＧＥ−ＰＯＮ  ＯＬＴと同様に、ＰＣＳ検出部２６１、ＰＯＮヘッダ検出部２６２、ＭＰＳＰ検出部２６３、ＯＡＭ検出部２６４を有する。
【００８３】
ＰＣＳ検出部２６１は、受信信号からＰＣＳフレームを検出してＰＯＮヘッダ検出部２６２に与える。
【００８４】
ＰＯＮ検出部２６２は、ＰＣＳ検出部２６１から取得したＰＣＳフレームからＰＯＮヘッダを抽出し、そのＰＯＮヘッダをＭＰＣＰ検出部２６３及び装置内監視制御部３３０に与える。
【００８５】
ＯＡＭ検出部２６４は、ＭＰＣＰ検出部２６３から取得したＭＰＣＰフレームからＯＡＭフレームを抽出し、そのＯＡＭフレームを上りフォーマット変換回路３１０及び装置内監視制御部３３０に与える。
【００８６】
上りフォーマット変換回路３１０は、ＧＥ−ＰＯＮフレームをＸＧ−ＰＯＮフレームのフォーマットに変換して、変換後のフレームをＸＧ−ＰＯＮ  ＯＮＵ上りフレーム処理部２３０に与える。
【００８７】
ＸＧ−ＰＯＮ  ＯＮＵ上りフレーム処理部２１０は、上りフォーマット変換回路３１０により変換されたフレームからＸＧ−ＰＯＮ上りフレームを生成してＰＯＮ光送受信部２２０に与える。ＸＧ−ＰＯＮ  ＯＮＵ上りフレーム処理部２１０は、ＸＧＥＭフレーム生成部２３１、ＸＧＴＣフレーム生成部２３２、ＰＨＹフレーム生成部２３３を有する。
【００８８】
ＸＧＥＭフレーム生成部２３１は、上りフォーマット変換回路３１０からのデータにＸＧＥＭヘッダを付与してＸＧＥＭフレームを生成するものである。
【００８９】
ＸＧＴＣフレーム生成部２３２は、ＸＧＥＭフレーム生成部２３１により生成されたＸＧＥＭフレームにＸＧＴＣヘッダを付与してＸＧＴＣフレームを生成するものである。
【００９０】
ここで、ＸＧＴＣヘッダには、ＰＬＯＡＭ領域が含まれており、このＰＬＯＡＭ領域に、当該ＸＧ−ＰＯＮ  ＯＮＵ２００のＯＮＵ−ＩＤを挿入すると共に、当該ＸＧ−ＰＯＮ  ＯＮＵ２００が収容しているＧＥ−ＰＯＮ  ＯＮＵ７００のＬＬＩＤを挿入する。
【００９１】
ＰＨＹフレーム生成部２３３は、ＸＧＴＣフレーム生成部２３２により生成されたＸＧＴＣフレームにＰＨＹヘッダを付与してＰＨＹフレームを生成してＰＯＮ光送受信部２２０に与える。
【００９２】
装置内監視制御部３３０は、ＯＬＴ／ＬＬＩＤ管理部３３１、ＯＮＵ−ＩＤ管理部３３２、ＸＧＴＣヘッダ／ＰＬＯＡＭ生成部３３３、ＸＧＴＣヘッダ／ＰＬＯＡＭ検出部３３４を有する。
【００９３】
ＯＬＴ／ＬＬＩＤ管理部３３１は、ＧＥ−ＰＯＮにおける自身のＯＬＴ識別情報と、ＧＥ−ＰＯＮ  ＯＮＵ７００のＯＮＵ−ＩＤ及びＬＬＩＤとを対応付けて管理するものである。
【００９４】
ＯＮＵ−ＩＤ管理部３３２は、ＸＧ−ＰＯＮにおいて、ＸＧ−ＰＯＮ  ＯＬＴ１００により割り当てられたＯＮＵ−ＩＤを管理するものである。
【００９５】
ＸＧＴＣヘッダ／ＰＬＯＡＭ検出部３３４は、ＸＧＴＣフレーム検出部２４２により検出されたＸＧＴＣフレームからＸＧＴＣヘッダを抽出し、ＸＧＴＣヘッダに含まれているＰＬＯＡＭ領域から、ＸＧ−ＰＯＮ  ＯＬＴ１００により割り当てられたＯＮＵ−ＩＤを、ＯＮＵ−ＩＤ管理部３３２に保持する。
【００９６】
また、ＸＧＴＣヘッダ／ＰＬＯＡＭ検出部３３４は、ＸＧＴＣヘッダのＰＯＡＭ領域にＬＬＩＤが含まれている場合には、ＯＬＴ／ＬＬＩＤ管理部３３１を参照して、ＬＬＩＤ及びＯＮＵ（ＧＥ−ＰＯＮ）番号を検索して、そのＬＬＩＤ及びＯＮＵ（ＧＥ−ＰＯＮ）番号をＯＡＭ生成部２７１に与える。
【００９７】
ＸＧＴＣヘッダ／ＰＬＯＡＭ生成部３３３は、ＯＡＭ検出部２６４から上りフレームのＯＡＭに含まれているＯＮＵ−ＩＤに基づいて、ＯＮＵ−ＩＤ管理部３３２及びＯＬＴ／ＬＬＩＤ管理部３３１を参照して、ＸＧＴＣヘッダを生成して、ＸＧＴＣフレーム生成部２３２に与えるものである。
【００９８】
（Ａ−１−４）ＩＴＵ−Ｔ  Ｇ．９８７．３標準のフレームフォーマット
ここで、ＩＴＵ−Ｔ  Ｇ．９８７．３標準規格化されている、下りフレームの構成と上りフレームの構成とを図９及び図１０を用いて説明する。
【００９９】
図９は、ＩＴＵ−Ｔ  Ｇ．９８７．３標準規格化されている下りフレームの構成を示す構成図であり、図１０は、ＩＴＵ−Ｔ  Ｇ．９８７．３標準規格化されている上りフレームの構成を示す構成図である。
【０１００】
ＸＧ−ＰＯＮ  ＯＬＴ１００が、未登録のＸＧ−ＰＯＮ  ＯＮＵ２００の登録処理や、ＸＧ−ＰＯＮ  ＯＮＵ２００との間で情報の授受を行う等のときに、図９（Ｂ）及び図１０（Ｂ）に示す構成のフレームを授受する。
【０１０１】
図９（Ｂ）及び図１０（Ｂ）に示すように、ＰＨＹフレームのｐａｙｌｏａｄには、ＸＧＴＣヘッダとＸＧＴＣペイロードとが含まれている。また、ＸＧＴＣペイロードには、ＸＧＥＭペイロードが含まれている。
【０１０２】
図９（Ｂ）に示すように、下りフレームのＸＧＴＣヘッダには、運用保守に関する情報であるＰＬＯＡＭが含まれており、ＰＬＯＡＭには、ＯＮＵ−ＩＤ、メッセージタイプＩＤ、シーケンス番号、メッセージコンテンツ、ＭＩＣが含まれている。
【０１０３】
図１０（Ｂ）に示すように、上りフレームのＸＧＴＣヘッダには、ＯＮＵ−ＩＤ、Ｉｎｄ、ＰＬＯＡＭが含まれており、このＰＬＯＡＭには、ＯＮＵ−ＩＤ、メッセージＩＤ、シーケンス番号、メッセージコンテンツ、ＭＩＣが含まれている。
【０１０４】
（Ａ−２）実施形態の動作
次に、この実施形態に係る光アクセスネットワーク１における処理動作を、図面を参照しながら詳細に説明する。
【０１０５】
図１１は、実施形態に係る光アクセスネットワーク１における処理動作を示すフローチャートである。
【０１０６】
図１１において、ＸＧ−ＰＯＮ  ＯＬＴ１００は、Ｇ．９８７．３に規定されているディスカバリー方式を使用して、未登録状態のＸＧ−ＰＯＮ  ＯＮＵ＃１を発見して、図１１に示すステップ（ａ）〜（ｇ）の通信処理を実施する。
【０１０７】
具体的には、ＸＧ−ＰＯＮ  ＯＬＴ１００は、未登録ＸＧ−ＰＯＮ  ＯＮＵのシリアル番号を取得するために、ＳＮ（Ｓｅｒｉａｌ  Ｎｕｍｂｅｒ）  Ｇｒａｎｔを含むフレームを送信する（ステップ（ａ））。ＸＧ−ＰＯＮ  ＯＮＵ＃１では、ＸＧ−ＰＯＮ機能部２１０が、ランダム遅延の後、ＸＧ−ＰＯＮ  ＯＮＵのシリアル番号要求を含むフレーム送信する（ステップ（ｂ））。
【０１０８】
そして、ＸＧ−ＰＯＮ  ＯＬＴ１００は、ＸＧ−ＰＯＮ  ＯＮＵ＃１のＸＧ−ＰＯＮ機能部２１０に、ＯＮＵ−ＩＤ＝１を通知し（ステップ（ｃ））、ＸＧ−ＰＯＮ機能部２１０がＯＮＵ−ＩＤ＝１を受信する。
【０１０９】
このとき、ＸＧ−ＰＯＮ  ＯＮＵ＃１では、ＸＧ−ＰＯＮ機能部２１０が、ＯＮＵ−ＩＤ＝１の登録をＯＮＵ管理部３３２に完了する。また、ＸＧ−ＰＯＮ機能部２１０は、登録要求のため、ＸＧ−ＰＯＮ  ＯＬＴ１００に対して、Ｒａｎｇｉｎｇ  Ｇｒａｎｔ応答（ＯＮＵ−ＩＤ＝１の登録要求を含む）を返信する（ステップ（ｄ））。
【０１１０】
そうすると、ＸＧ−ＰＯＮ  ＯＬＴ１００は、帯域割当及び送信スタートタイムを計算するために、Ｒｏｕｎｄ  ｔｒｉｐ  Ｅｑｕａｌｉｚａｔｉｏｎ  Ｄｅｌａｙ（ＥｑＤ）を行い、送信スタートタイムの通知（Ｒａｎｇｉｎｇ  Ｇｒａｎｔ）と割当帯域の通知（ＢＷ  Ｇｒａｎｔ）を行う（ステップ（ｅ）、ステップ（ｆ））。
【０１１１】
そして、ＸＧ−ＰＯＮ  ＯＮＵ＃１のＸＧ−ＰＯＮ機能部２１０が、ＸＧ−ＰＯＮ  ＯＬＴ１００にＡＣＫフレームを返信すると（ステップ（ｇ））、ＸＧ−ＰＯＮ  ＯＬＴ１００は、ＯＮＵ管理部１５２に、ＯＮＵ−ＩＤ＝１の登録を完了する。
【０１１２】
また、図１１において、上記ステップ（ａ）〜（ｇ）のディスカバリープロセスの途中で、ＸＧ−ＰＯＮ  ＯＮＵ＃１のＧＥ−ＰＯＮ  ＯＬＴ＃１機能部２５０は、ＩＥＥＥ８０２．３ａｈの標準化技術のディスカバリー方式を用いて、配下にある未登録のＧＥ−ＰＯＮ  ＯＮＵ＃１を発見して、ＬＬＩＤ＝１を割り当てるなどのステップ（１）〜（５）の通信を実施して、ＬＬＩＤ＝１の登録を完了する。
【０１１３】
具体的には、ＸＧ−ＰＯＮ  ＯＮＵ＃１のＧＥ−ＰＯＮ  ＯＬＴ機能部２５０は、未登録のＧＥ−ＰＯＮ  ＯＮＵに対して送信タイミング（Ｄｉｓｃｏｖｅｒｙ  Ｇａｔｅ）を通知する（ステップ（１））。
【０１１４】
このとき、ＸＧ−ＰＯＮ  ＯＮＵ＃１のＯＬＴ／ＬＬＩＤ管理部３３１には、ＧＥ−ＰＯＮ  ＯＬＴ機能部２５０がＧＥ−ＰＯＮのＯＬＴとして機能するため、「ＯＬＴ番号＝１」が登録されており、配下のＧＥ−ＰＯＮ  ＯＮＵ＃１は未登録であるため、「ＬＬＩＤ」及び「ＯＮＵ（ＧＥ−ＰＯＮ）番号」はブランク（未登録）となっている。
【０１１５】
ＧＥ−ＰＯＮ  ＯＮＵ＃１は、ランダム遅延後、ＧＥ−ＰＯＮ  ＯＬＴ機能部２５０に対して登録要求（Ｒｅｇｉｓｔｅｒ  Ｒｅｑｕｅｓｔ）を返信する（ステップ（２））。
【０１１６】
これを受けて、ＧＥ−ＰＯＮ  ＯＬＴ機能部２５０が、ＧＥ−ＰＯＮ  ＯＮＵ＃１に対してＬＬＩＤ＝１を割り当て、ＬＬＩＤ＝１をＧＥ−ＰＯＮ  ＯＮＵ＃１に通知する（ステップ（３））。
【０１１７】
そして、ＧＥ−ＰＯＮ  ＯＬＴ機能部２５０が、ＧＥ−ＰＯＮ  ＯＮＵ＃１に割り当てた上り送信時刻及び送信時間をＧａｔｅで通知し（ステップ（４））、ＧＥ−ＰＯＮ  ＯＮＵ＃１が、ＧＥ−ＰＯＮ  ＯＬＴ機能部２５０にＲｅｇｉｓｔｅｒ  ＡＣＫを返信する（ステップ（５））。
【０１１８】
Ｒｅｇｉｓｔｅｒ  ＡＣＫが受信されると、ＧＥ−ＰＯＮ  ＯＬＴ機能部２５０は、ＬＬＩＤ及びＯＮＵ（ＧＥ−ＰＯＮ）を、ＯＬＴ／ＬＬＩＤ管理部３３１に登録する。つまり、ＸＧ−ＰＯＮ  ＯＮＵ＃１のＯＬＴ／ＬＬＩＤ管理部３３１には、「ＯＬＴ番号＝１」、「ＬＬＩＤ＝１」、「ＯＮＵ（ＧＥ−ＰＯＮ）番号＝１」が登録される。
【０１１９】
ＸＧ−ＰＯＮ  ＯＮＵ＃１では、上記のＬＬＩＤ＝１登録完了をトリガとして、ＸＧ−ＰＯＮ  ＯＮＵ機能部２１０が、ＸＧ−ＰＯＮ  ＯＬＴからの帯域割当グラントによる送信スタート時間、送信許可通知を受信後（ステップ（ｆ））に、ＩＴＵ−Ｔ  Ｇ．９８７．３標準規定されているＰＬＯＡＭ領域を使用してＬＬＩＤ＝１及びＯＬＴ＝１をＸＧ−ＰＯＮ  ＯＬＴ１００に情報を送信する（ステップ（ｈ））。
【０１２０】
このとき、ＸＧ−ＰＯＮ  ＯＬＴ１００では、ＸＧ−ＰＯＮ  ＯＮＵ機能部２１０に割り当てた「ＯＮＵ−ＩＤ＝１」、ＰＬＯＡＭから抽出した「ＬＬＩＤ＝１」及び「ＯＬＴ番号＝１」を対応付けてＯＮＵ管理部１５２に登録する。
【０１２１】
これにより、ＸＧ−ＰＯＮ  ＯＬＴ１００は、ＯＮＵ−ＩＤ＝１のＸＧ−ＰＯＮ  ＯＮＵ＃１の、どのＧＥ−ＰＯＮ  ＯＬＴ機能部２５０の配下に、ＧＥ−ＰＯＮ  ＯＮＵ台数（ＬＬＩＤ数）が何台あるかを知ることができる。
【０１２２】
また、ＸＧ−ＰＯＮ  ＯＮＵ＃１が、複数のＧＥ−ＰＯＮ  ＯＮＵ機能部２５０が追加されたり、又は削除（例えば加入者がサービスを解約して不要になった場合など）されたりした場合も、上記プロセスを通じて、自動的にＸＧ−ＰＯＮ  ＯＬＴ１００に通知及び管理することが可能となる。
【０１２３】
上記に示したＸＧ−ＰＯＮ  ＯＬＴ−ＯＮＵ間の情報は、ＸＧＴＣヘッダ／ＰＬＯＡＭ生成部３３３がＯＬＴ／ＬＬＩＤ管理部３３１及びＯＮＵ−ＩＤ管理部３３２の情報に基づいて、ＸＧＴＣヘッダ及びＰＬＯＡＭ領域の情報を生成する。そして、ＸＧＴＣフレーム生成部２３２がＸＧＴＣフレームを生成して、ＸＧ−ＰＯＮ  ＯＬＴ１００に送信する。
【０１２４】
ＸＧ−ＰＯＮ  ＯＬＴ１００では、上りＸＧ−ＰＯＮ  ＯＮＵ＃１からの上り信号からＸＧＴＣフレームを検出し、その中にあるＸＧＴＣヘッダ、ＰＬＯＡＭ領域を検出し、「ＯＮＵ−ＩＤ」、「ＬＬＩＤ」、「ＯＬＴ番号」をＯＮＵ管理部１５２に保存する。
【０１２５】
ＸＧ−ＰＯＮ  ＯＬＴ１００からの下り信号は、ＸＧ−ＰＯＮ  ＯＮＵ＃１のＸＧＴＣフレーム検出部２４２がＸＧＴＣフレームを検出し、ＸＧＴＣヘッダ／ＰＬＯＡＭ検出部３３４がＸＧＴＣフレームからＸＧＴＣヘッダ及びＰＬＯＡＭ領域の設定変更情報を抽出して、その抽出した設定変更情報をＯＮＵ−ＩＤ管理部３３２に保存する。
【０１２６】
次に、上述した処理により、ＸＧ−ＰＯＮ  ＯＬＴ１００のＯＮＵ管理部１５２に、「ＯＮＵ−ＩＤ」、「ＬＬＩＤ」、「ＯＮＵ番号」の登録完了後に、遠隔のオペレーションシステム（ＯｐＳ）１０からの監視処理が可能となる。
【０１２７】
遠隔のオペレーションシステム（Ｏｐｓ）１０から、ＧＥ−ＰＯＮ  ＯＮＵ＃１に対する設定変更発生する場合、その情報がＸＧ−ＰＯＮ  ＯＬＴ１００の監視制御部１５１に保存される（ステップ（１１））。
【０１２８】
この監視制御部１５１に保存された情報は、ＸＧＴＣヘッダ／ＰＬＯＡＭ生成部１５３に与えられる。ＸＧＴＣヘッダ／ＰＬＯＡＭ生成部１５３は、ＰＬＯＡＭ領域に設定変更情報を挿入し、「ＯＮＵ−ＩＤ＝１」、「ＬＬＩＤ＝１」の宛先情報を含むＸＧＴＣヘッダを生成する。そして、ＸＧＴＣフレーム生成部１２２により生成されたＸＧＴＣフレームが生成されて、下り信号として送出する（ステップ（１２））。
【０１２９】
ＸＧ−ＰＯＮ  ＯＮＵ＃１に下りフレームが受信されると、ＸＧＴＣフレームがＸＧＴＣフレームを検出する。ＸＧＴＣヘッダ／ＰＬＯＡＭ検出部３３４がＸＧＴＣヘッダに含まれている「ＯＮＵ−ＩＤ＝１」、「ＬＬＩＤ＝１」を検出する。そして、ＸＧＴＣヘッダ／ＰＬＯＡＭ検出部３３４は、ＯＬＴ／ＬＬＩＤ管理部３３１から、ＬＬＩＤ＝１に対応する「ＯＬＴ番号＝１」、「ＯＮＵ番号＝１」を検出し、検出した「ＯＬＴ番号＝１」、「ＯＮＵ番号＝１」をＯＡＭ生成部２７１に与える（ステップ（１３））。
【０１３０】
また、ＸＧ−ＰＯＮ  ＯＮＵ＃１に受信された下りフレームは、下り変換フォーマット変換回路３２０により、ＩＴＵ−Ｔ  Ｇ．９８７．３標準規定フォーマットからＩＥＥＥ８０２．３ａｈ標準規定フォーマットにフォーマット変換される（ステップ（１４））。
【０１３１】
そして、ＯＡＭ生成部２７１が、ＸＧＴＣヘッダ／ＰＬＯＡＭ検出部３３４からの「ＯＬＴ番号＝１」、「ＯＮＵ番号＝１」を宛先情報として、設定変更情報をＯＡＭ領域に挿入してＯＡＭフレームを生成して、ＧＥ−ＰＯＮ  ＯＮＵ＃１へ送信することで通知する（ステップ（１５））。
【０１３２】
ＧＥ−ＰＯＮ  ＯＮＵ＃１は、下りフレームを受信し、この下りフレームに含まれる設定変更情報に基づいて、設定変更情報に応じた設定変更を行う。
【０１３３】
なお、図１１には図示していないが、ＧＥ−ＰＯＮ  ＯＮＵ＃１は、ＸＧ−ＰＯＮ  ＯＬＴ＃１のＧＥ−ＰＯＮ  ＯＬＴ機能部２５０に対してＯＡＭ情報を送りたい場合は、上記と同じ方式で逆方向の上りフレームを送信することで、ＸＧ−ＰＯＮ  ＯＬＴ１００への上りフレームのＰＬＯＡＭ領域を使って情報を伝送することができる。
【０１３４】
（Ａ−３）実施形態の効果
以上のように、実施例によれば図８に示すようにＧＥ−ＰＯＮ  ＯＮＵの情報を自動的にＸＧ−ＰＯＮ  ＯＬＴ＃１に通知・保存する機能を設けたことでＸＧ−ＰＯＮ用オペレーションシステム（ＯｐＳ）からＧＥ−ＰＯＮ  ＯＮＵの監視制御が可能になるため、ＧＥ−ＰＯＮのオペレーションシステム（ＯｐＳ）の削減等の運用保守費用の経済化が可能となる。
【０１３５】
（Ｂ）他の実施形態
上述した実施形態においても種々の変形実施形態を言及したが、本発明は、以下の変形実施形態にも適用可能である。
【０１３６】
（Ｂ−１）上述した実施形態では、ＩＴＵ−ＴＧ．９８７シリーズのＸＧ−ＰＯＮに適用した例を説明したが、フレーム構成を修正する等で現在標準化が議論されているＩＴＵ−ＴＧ．９８９シリーズのＮＧ−ＰＯＮ２にも適応可能である。
【符号の説明】
【０１３７】
１…光アクセスネットワーク１、１００…ＸＧ−ＰＯＮ  ＯＬＴ、２００（２００−１〜２００−Ｍ）…ＸＧ−ＰＯＮ  ＯＮＵ、７００（７００−１〜７００−Ｎ）…ＧＥ−ＰＯＮ  ＯＮＵ、１０…オペレーションシステム、５０−１及び５０−２…光スプリッタ、
１１０…ＯＬＴ上りフレーム処理部、１２０…ＯＬＴ下りフレーム処理部、１３０…１０Ｇ  ＳＮＩＭＡＣ処理部、１４０…ＰＯＮ光送受信部、１５０…装置内監視制御部、１５１…監視制御部、１５２…ＯＮＵ管理部、１５３…ＸＧＴＣヘッダ／ＰＬＯＡＭ生成部、１５４…ＸＧＴＣヘッダ／ＰＬＯＡＭ検出部、
２１０…ＸＧ−ＰＯＮ  ＯＮＵ機能部、２５０…ＧＥ−ＰＯＮ  ＯＬＴ機能部、３１０…上りフォーマット変換回路、３２０…下りフォーマット変換回路、３３０…装置内監視制御部、３３１…ＯＬＴ／ＬＬＩＤ管理部、３３２…ＯＮＵ−ＩＤ管理部、３３３…ＸＧＴＣヘッダ／ＰＬＯＡＭ生成部、３３４…ＸＧＴＣヘッダ／ＰＬＯＡＭ検出部。
【図１】
0006459588.tif 000002
【図２】
0006459588.tif 000003
【図３】
0006459588.tif 000004
【図４】
0006459588.tif 000005
【図５】
0006459588.tif 000006
【図６】
0006459588.tif 000007
【図７】
0006459588.tif 000008
【図８】
0006459588.tif 000009
【図９】
0006459588.tif 000010
【図１０】
0006459588.tif 000011
【図１１】
0006459588.tif 000012